(57)【要約】  ユニット取付装置１は、電子機器ユニット９が取り付けられるユニット取付装置であって、電子機器ユニットの一側面１２ａと対向するように設けられる基部４ａと、基部の上部から電子機器ユニット側に延出するように形成された上側庇部５ａと、基部の下部から電子機器ユニット側に延出するように形成された下側庇部５ｂと、下側庇部の延出側の端部から上方に突出するように形成された立設部６と、電子機器ユニットの一側面の幅よりも狭い幅で、立設部から電子機器ユニット側に突出するように設けられた突起部７と、を備えることを特徴とする。
2013018170.tif 000002
【特許請求の範囲】
【請求項１】
電子機器ユニットが取り付けられるユニット取付装置であって、
前記電子機器ユニットの一側面と対向するように設けられる基部と、
前記基部の上部から前記電子機器ユニット側に延出するように形成された上側庇部と、
前記基部の下部から前記電子機器ユニット側に延出するように形成された下側庇部と、
前記下側庇部の延出側の端部から上方に突出するように形成された立設部と、
前記電子機器ユニットの前記一側面の幅よりも狭い幅で、前記立設部から前記電子機器ユニット側に突出するように設けられた突起部と、を備えることを特徴とするユニット取付装置。
【請求項２】
前記立設部は、前記突起部よりも広い幅で形成されることを特徴とする請求項１に記載のユニット取付装置。
【請求項３】
前記立設部の天面の角および前記突起部の突出側の面の角が面取りされていることを特徴とする請求項１または２に記載のユニット取付装置。
【請求項４】
請求項１〜３のいずれか１つに記載のユニット取付装置と、
前記立設部および前記突起部に嵌まり合う嵌合部が形成された電子機器ユニットと、を備える電子機器システム。
【請求項５】
電子機器ユニットが取り付けられるユニット取付装置の製造方法であって、
前記電子機器ユニットの一側面と対向するように設けられる基部と、前記基部の上部から前記電子機器ユニット側に延出するように形成された上側庇部と、前記基部の下部から前記電子機器ユニット側に延出するように形成された下側庇部と、前記下側庇部から上方に突出するように形成された立設部と、前記立設部から前記電子機器ユニット側に突出するように形成された突起部と、を備えるベース構造体を押出し成形により成形し、
前記突起部をプレス成形によって前記一側面の幅よりも狭い幅に形成することを特徴とするユニット取付装置の製造方法。
【発明の詳細な説明】
【技術分野】
【０００１】
本発明は、ユニット取付装置、電子機器システム、およびユニット取付装置の製造方法に関する。
【背景技術】
【０００２】
従来、マザーボードとそれを保護する筐体からなるユニット取付装置に対して電子機器ユニットが取り付けられた電子機器システムが用いられる。このような電子機器システムでは、ユニット取付装置への電子機器ユニットの取付操作性と、システム稼働時におけるユニット取付装置に対する電子機器ユニットの安定した取付状態の維持が求められている。【０００３】
例えば特許文献１では、庇部から突出した断面凸形のレール部を持つ筐体と、コネクタを実装するマザーボードから構成されたユニット取付装置に対して、凹溝部を持つ電子機器ユニットを取り付ける構成が開示されている。【０００４】
特許文献１に開示の構成によれば、ユニット取付装置側の断面凸形のレール部と、電子機器ユニット側の凹溝部が嵌まり合うことで電子機器ユニットの左右方向の位置が決められ、ユニット取付装置側の庇部によって電子機器ユニットの上下方向の位置が決められる。また、ネジ等の別部材で電子機器ユニットの抜け止めが行われる。
【先行技術文献】
【特許文献】
【０００５】
【特許文献１】実開平３−６８９０号公報
【発明の概要】
【発明が解決しようとする課題】
【０００６】
しかしながら、上記従来の構成によれば、ネジ等の別部材を用いて電子機器ユニットの抜け止めを行う必要があるため、取付け工数増加による取付操作性の悪化および部品点数増加による製品のコストアップという問題があった。【０００７】
本発明は、上記に鑑みてなされたものであって、取付操作性の向上を図るとともに、部品点数を抑えて製品のコスト抑制を図ることのできるユニット取付装置を得ることを目的とする。
【課題を解決するための手段】
【０００８】
上述した課題を解決し、目的を達成するために、本発明は、電子機器ユニットが取り付けられるユニット取付装置であって、電子機器ユニットの一側面と対向するように設けられる基部と、基部の上部から電子機器ユニット側に延出するように形成された上側庇部と、基部の下部から電子機器ユニット側に延出するように形成された下側庇部と、下側庇部の延出側の端部から上方に突出するように形成された立設部と、電子機器ユニットの一側面の幅よりも狭い幅で、立設部から電子機器ユニット側に突出するように設けられた突起部と、を備えることを特徴とする。
【発明の効果】
【０００９】
本発明によれば、立設部と突起部に嵌まり合う嵌合部を電子機器ユニットに形成し、その嵌合部を立設部と突起部に嵌め合わせれば電子機器ユニットをユニット取付装置に取り付けることができるので、取付操作性の向上を図るとともに、部品点数を抑えて製品のコスト抑制を図ることができるという効果を奏する。
【図面の簡単な説明】
【００１０】
【図１】図１は、本発明の実施の形態１にかかる電子機器システムの分解斜視図である。
【図２】図２は、図１に示すＡ部分を拡大した部分拡大斜視図である。
【図３】図３は、ユニット取付装置の下側庇部部分を拡大した部分拡大側面図である。
【図４】図４は、図３に示すＢ−Ｂ線に沿った矢視断面図である。
【図５】図５は、ユニット取付装置の製造手順を説明するフローチャートである。
【図６】図６は、プレス加工前のユニット取付装置（ベース構造体）の下部の部分拡大斜視図である。
【図７】図７は、実施の形態１の変形例１に係るユニット取付装置の下部の部分拡大側面図である。
【図８】図８は、実施の形態１の変形例２に係るユニット取付装置の下部の部分拡大側面図である。
【図９】図９は、比較例としてのユニット取付装置の下部の部分拡大斜視図である。
【図１０】図１０は、図９に示すユニット取付装置の下部の部分拡大斜視図であって、プレス加工前の状態（ベース構造体の状態）を示す図である。
【図１１】図１１は、図９に示すユニット取付装置の下部の部分拡大側面図である。
【発明を実施するための形態】
【００１１】
以下に、本発明にかかるユニット取付装置、電子機器システム、およびユニット取付装置の製造方法の実施の形態を図面に基づいて詳細に説明する。なお、この実施の形態によりこの発明が限定されるものではない。
【００１２】
実施の形態１．
図１は、本発明の実施の形態１にかかる電子機器システムの分解斜視図である。電子機器システム５０は、ユニット取付装置１に電子機器ユニット９が取り付けられて構成される。電子機器ユニット９は、電子機器ユニット筐体１２の内部に基板１０が収容されて構成される。
【００１３】
電子機器ユニット筐体１２は、電子機器ユニット９の外郭を構成する。電子機器ユニット９は、電子機器ユニット筐体１２の一側面１２ａがユニット取付装置１に対向する状態で、ユニット取付装置１に取り付けられる。電子機器ユニット筐体１２には、電子機器ユニット嵌合部１３が形成されている。電子機器ユニット嵌合部１３については後に詳説する。
【００１４】
基板１０には、電子機器ユニットコネクタ１１が実装されている。電子機器ユニット筐体１２の内部に基板１０が収容された状態で、電子機器ユニットコネクタ１１が一側面１２ａ側に露出している。
【００１５】
ユニット取付装置１は、ユニット取付装置筐体４とマザーボード２とを有して構成される。ユニット取付装置筐体４は、電子機器ユニット９の一側面１２ａと対向する基部４ａ、基部４ａの上下にそれぞれ形成された庇部５を有する。
【００１６】
庇部５は、基部４ａの上部から電子機器ユニット９側に延出する上側庇部５ａと、基部４ａの下部から電子機器ユニット９側に延出する下側庇部５ｂとで構成される。ユニット取付装置１に対して電子機器ユニット９が取り付けられた状態では、電子機器ユニット９は一側面１２ａ寄りの上下部分が庇部５（上側庇部５ａと下側庇部５ｂ）に挟み込まれた状態となる。
【００１７】
図２は、図１に示すＡ部分を拡大した部分拡大斜視図である。図３は、ユニット取付装置１の下側庇部５ｂ部分を拡大した部分拡大側面図である。図４は、図３に示すＢ−Ｂ線に沿った矢視断面図である。
【００１８】
図２〜４に示すように、ユニット取付装置１の下部には、立設部６と、突起部７とが設けられている。立設部６は、下側庇部５ｂの延出側の端部から上方に突出するように形成されている。
【００１９】
電子機器ユニット９の電子機器ユニット筐体１２には、電子機器ユニット嵌合部１３の一部として、立設部６に嵌まる溝が形成されている。電子機器ユニット嵌合部１３を、立設部６に嵌めることで、立設部６の抜け止め面６ａと、電子機器ユニット嵌合部１３の嵌合部背面１３ａとが当接して、電子機器ユニット９の抜け落ちが防止される。
【００２０】
また、電子機器ユニット嵌合部１３を、立設部６に嵌めることで、立設部６の天面である下側位置決め面６ｂと、電子機器ユニット嵌合部１３の嵌合部下面１３ｂとが当接して、電子機器ユニット９の上下方向の位置決めがなされる。
【００２１】
また、立設部６は、後述する突起部７よりも広い幅で形成されており、本実施の形態では、ユニット取付装置筐体４の横幅全体にわたって形成されている。これにより、立設部６の下側位置決め面６ｂが、電子機器ユニット９の横幅全体を支持することができ、電子機器ユニット９の横方向への振れを抑制することができる。
【００２２】
突起部７は、電子機器ユニット９の一側面１２ａの幅よりも狭い幅で形成され、立設部６から電子機器ユニット９側に突出するように設けられている。図３に示すように、突起部７は、立設部６の高さ方向における中段部分に設けられている。
【００２３】
電子機器ユニット９の電子機器ユニット筐体１２には、電子機器ユニット嵌合部１３の一部として、突起部７が嵌まる凹部が形成されている。凹部は、突起部７と略同じ幅で形成されている。そのため、電子機器ユニット嵌合部１３を、突起部７に嵌めることで、突起部７の左右位置決め面７ａと、電子機器ユニット嵌合部１３の嵌合部側面１３ｃとが当接して、電子機器ユニット９の横方向の位置決めがなされる。
【００２４】
立設部６ｂの天面側の角および突起部７の突出側の角が面取りされている。面取りの種類としては、図４で示す突起部７の突出側の角のように角面で面取りしてもよいし、図３で示す立設部６の天面のように丸面で面取りしてもよい。このように、面取りをすることで、電子機器ユニット９を取り付ける際に電子機器ユニット嵌合部１３が引っ掛かるのを抑えることができ、スムーズな取付けが可能となる。また、引っ掛かりを抑えることで、電子機器ユニット嵌合部１３やユニット取付装置１の破損を抑えることができる。
【００２５】
マザーボード２は、ユニット取付装置筐体４の基部４ａに取り付けられて、電子機器ユニット９の一側面１２ａと対向する。マザーボード２には、ユニット取付装置コネクタ３が設けられている。電子機器ユニット９をユニット取付装置１に取り付けると、電子機器ユニット９に設けられた電子機器ユニットコネクタ１１と、ユニット取付装置１に設けられたユニット取付装置コネクタ３とが接続される。
【００２６】
上述したように、電子機器ユニット９をユニット取付装置１に取り付ける際に、下側庇部５ｂに設けられた立設部６と突起部７に電子機器ユニット嵌合部１３を嵌め合わせることで、上下方向の位置決め、横方向の位置決め、および抜け落ちの防止が図られるため、ネジ等の別部材を用いた固定作業を省略することが可能となる。そのため、電子機器ユニット９の取付操作性の向上を図るとともに、部品点数を抑えて製品のコスト抑制を図ることができる。
【００２７】
次に、ユニット取付装置１の製造方法について説明する。図５は、ユニット取付装置１の製造手順を説明するフローチャートである。まず、基部４ａと、上側庇部５ａと、下側庇部５ｂと、立設部６と、突起部７とを備えるベース構造体を押出し成形により成形する（ステップＳ１）。
【００２８】
図６は、プレス加工前のユニット取付装置（ベース構造体）の下部の部分拡大斜視図である。図６に示すように、押出し成形により成形されたベース構造体では、突起部７がベース構造体の横幅全体にわたって形成されており、電子機器ユニット９の一側面１２ａの幅よりも狭くなっていない。
【００２９】
すなわち、図２に示すような突起部７として、左右位置決め部７ａを形成するためには、図６において破線でハッチングした領域７ｂを除去する必要がある。そこで、プレス金型３０（図３を参照）によってプレス加工を行って、領域７ｂを除去する（ステップＳ２）。そして、基部４ａにマザーボード２を取り付けて（ステップＳ３）、ユニット取付装置１が製造される。
【００３０】
図３に示すように、プレス金型３０を矢印Ｘに示す方向に移動させてプレス加工が行われる。その際、プレス金型３０は、突起部７のみをプレス加工することとなり、立設部６をプレス加工せずに済む。
【００３１】
ここで、比較例としてのユニット取付装置について説明する。図９は、比較例としてのユニット取付装置の下部の部分拡大斜視図である。図１０は、図９に示すユニット取付装置の下部の部分拡大斜視図であって、プレス加工前の状態（ベース構造体の状態）を示す図である。図１１は、図９に示すユニット取付装置の下部の部分拡大側面図である。従来、比較例として示すユニット取付装置２１が用いられる場合があった。
【００３２】
図９に示すように、比較例としてのユニット取付装置２１では、ユニット取付装置筐体２４の下側庇部２５ｂから電子機器ユニット２９側に突出する突出部２８が形成されている。突出部２８は、電子機器ユニット２９よりも狭い幅で形成されており、その側面が左右位置決め面２８ｃとなる。
【００３３】
また、突出部２８は、その突出側の端部が上方に立設された立設部２８ｄとなっている。立設部２８ｄは、電子機器ユニット２９に形成された電子機器ユニット嵌合部３１に嵌まって電子機器ユニット２４の抜け落ちを防ぐ抜け止め面２８ａと、電子機器ユニット２９を下方から支持して電子機器ユニット２９の上下方向の位置決めをする下側位置決め面２８ｂを有する。
【００３４】
また、突出部２８の端部に形成された立設部２８ｄは、突出部２８と同様に電子機器ユニット９よりも狭い幅で形成される。そのため、下側位置決め面２８ｂによる電子機器ユニット９の支持が不安定になり、電子機器ユニット２９の横方向への振れを抑えることが難しかった。また、電子機器ユニット２９が振れることで、コネクタ３，１１（図１も参照）が破損してしまう場合があった。
【００３５】
一方、本実施の形態では、上述したように、下側位置決め面６ｂが、電子機器ユニット９の横幅全体を支持することができるため、電子機器ユニット９の横方向への振れを抑制することができる。そのため、コネクタ３，１１の破損を抑えることができ、電子機器システム５０の信頼性の向上を図ることができる。
【００３６】
また、図１０に示すように領域２８ｅを、ベース構造体からプレス加工で除去する場合、図１１に示すようにプレス金型３０を矢印Ｙに示す方向に移動させる必要がある。その際、突出部２８に加えて立設部２８ｄもプレス金型３０でプレス加工することとなる。
【００３７】
そのため、立設部２８ｄの立設高さＴ２を大きくすると、プレス加工時に下側庇部２５ｂや突出部２８に負荷が加わり、下側庇部２５ｂや突出部２８が変形してしまう場合がある。また、下側庇部２５ｂや突出部２８の変形を抑えるために立設部２８ｄの立設高さＴ２を低く抑えると、抜け止め面２８ａが低くなるため、電子機器ユニット２９が抜け落ちやすくなってしまう。
【００３８】
一方、本実施の形態にかかるユニット取付装置１では、図３に示すように、立設部６をプレス加工せずに突起部７を形成することができる。そのため、プレス加工によって下側庇部５ｂが変形するのを抑えることができる。また、立設部６の立設高さＴ１を大きくしても、プレス加工時の下側庇部５ｂにほとんど負荷が加わらない。そのため、比較例に比べて、立設部６の立設高さＴ１を大きくすることができる。立設部６の立設高さＴ１を大きくすることで、抜け止め面６ａを大きくして、より確実に電子機器ユニット９の抜け落ちを防ぐことができる。
【００３９】
図７は、実施の形態１の変形例１に係るユニット取付装置の下部の部分拡大側面図である。図７に示すように、立設部６の高さ方向における下端部分に突起部７が形成されていてもよい。このように構成した場合でも、立設部６をプレス加工せずに突起部７を形成することができる。そのため、上述した例と同様に、下側庇部５ｂの変形を抑えることができるとともに、抜け止め面６ａを大きく形成して電子機器ユニットの抜け落ちをより確実に防ぐことができる。
【００４０】
図８は、実施の形態１の変形例２に係るユニット取付装置の下部の部分拡大側面図である。図８に示すように、立設部６の高さ方向における下端部分に突起部７が形成されていてもよい。このように構成した場合でも、立設部６をプレス加工せずに突起部７を形成することができる。そのため、上述した例と同様に、下側庇部５ｂの変形を抑えることができるとともに、抜け止め面６ａを大きく形成して電子機器ユニットの抜け落ちをより確実に防ぐことができる。
【産業上の利用可能性】
【００４１】
以上のように、本発明にかかるユニット取付装置は、電子機器ユニットが取り付けられるユニット取付装置に有用である。
【符号の説明】
【００４２】
１  ユニット取付装置
２  マザーボード
３  ユニット取付装置コネクタ
４  ユニット取付装置筐体
４ａ  基部
５  庇部
５ａ  上側庇部
５ｂ  下側庇部
６  立設部
６ａ  抜け止め面
６ｂ  下側位置決め面
７  突起部
７ａ  左右位置決め面
７ｂ  領域
９  電子機器ユニット
１０  基板
１１  電子機器ユニットコネクタ
１２  電子機器ユニット筐体
１２ａ  一側面
１３  電子機器ユニット嵌合部
１３ａ  嵌合部背面
１３ｂ  嵌合部下面
１３ｃ  嵌合部側面
２１  ユニット取付装置
２４  ユニット取付装置筐体
２５ｂ  下側庇部
２８  突出部
２８ａ  抜け止め面
２８ｂ  下側位置決め面
２８ｃ  左右位置決め面
２８ｄ  立設部
２８ｅ  領域
２９  電子機器ユニット
３０  プレス金型
３１  電子機器ユニット嵌合部
５０  電子機器システム
Ｘ，Ｙ  矢印
【図１】
2013018170.tif 000003
【図２】
2013018170.tif 000004
【図３】
2013018170.tif 000005
【図４】
2013018170.tif 000006
【図５】
2013018170.tif 000007
【図６】
2013018170.tif 000008
【図７】
2013018170.tif 000009
【図８】
2013018170.tif 000010
【図９】
2013018170.tif 000011
【図１０】
2013018170.tif 000012
【図１１】
2013018170.tif 000013
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
電子機器ユニットが取り付けられるユニット取付装置であって、
前記電子機器ユニットの一側面と対向するように設けられる基部と、
前記基部の上部から前記電子機器ユニット側に延出するように形成された上側庇部と、
前記基部の下部から前記電子機器ユニット側に延出するように形成された下側庇部と、
前記下側庇部の延出側の端部から上方に突出するように形成された立設部と、
前記立設部から前記電子機器ユニット側に突出するように設けられた突起部と、を備えることを特徴とするユニット取付装置。
【請求項２】
前記突起部は、前記電子機器ユニットの前記一側面の幅よりも狭い幅で設けられることを特徴とする請求項１に記載のユニット取付装置。
【請求項３】
前記立設部は、前記突起部よりも広い幅で形成されることを特徴とする請求項１または２に記載のユニット取付装置。
【請求項４】
前記立設部の天面の角および前記突起部の突出側の面の角が面取りされていることを特徴とする請求項１〜３のいずれか１つに記載のユニット取付装置。
【請求項５】
請求項１〜４のいずれか１つに記載のユニット取付装置と、
前記立設部および前記突起部に嵌まり合う嵌合部が形成された電子機器ユニットと、を備える電子機器システム。
【請求項６】
電子機器ユニットが取り付けられるユニット取付装置の製造方法であって、
前記電子機器ユニットの一側面と対向するように設けられる基部と、前記基部の上部から前記電子機器ユニット側に延出するように形成された上側庇部と、前記基部の下部から前記電子機器ユニット側に延出するように形成された下側庇部と、前記下側庇部から上方に突出するように形成された立設部と、前記立設部から前記電子機器ユニット側に突出するように形成された突起部と、を備えるベース構造体を押出し成形により成形し、
前記突起部をプレス成形によって前記一側面の幅よりも狭い幅に形成することを特徴とするユニット取付装置の製造方法。
【国際調査報告】
2013018170.tif 000014
2013018170.tif 000015
2013018170.tif 000016
2013018170.tif 000017